(57)【要約】【課題】シャッター装置を設置した開口部から室内への侵入を防止するシャッターの防犯構造を提供する。【解決手段】ガイドレール溝１０からスラット端部の空間部に挿入されて、該スラット端部を室内側から当接支持するスラット端部支持片５１を有するスラット上動防止部材５と、スラット端部支持片５１がスラット端部の室内側の面部を当接支持した状態で該部材をガイドレールに着脱可能に固定する固定手段と、スラット端部の室内側の面部に設けられ、該面部より室内側に向って延出する見込片７１を有し、該スラット端部支持片が該見込片と係止することで、スラットの長さ方向の移動を規制するように構成された端部係止部材７とを有する。【選択図】図２
2005090103.tif 000002
【特許請求の範囲】
【請求項１】
ガイドレール溝からスラット端部の空間部に挿入されて、該スラット端部を室内側から当接支持するスラット端部支持片を有するスラット上動防止部材と、
スラット端部支持片がスラット端部の室内側の面部を当接支持した状態で該部材をガイドレールに着脱可能に固定する固定手段と、
スラット端部の室内側の面部に設けられ、該面部より室内側に向って延出する見込片を有し、該スラット端部支持片が該見込片と係止することで、スラットの長さ方向の移動を規制するように構成された端部係止部材と
を有することを特徴とするシャッターの防犯構造。
【請求項２】
ガイドレール溝からスラット端部の空間部に挿入されて、該スラット端部を室内側から当接支持するスラット端部支持片を有するスラット上動防止部材と、
スラット端部支持片がスラット端部の室内側の面部を当接支持した状態で該部材をガイドレールに着脱可能に固定する固定手段と、
スラット端部の室内側の面部に設けられた端部係止部材とを有し、
該固定手段は、スラット上動防止部材に設けた水平方向に延出する係止ロッドと、ガイドレールに設けた係止ロッド受孔とを含み、該スラット端部支持片がスラット端部に当接支持した状態で、該係止ロッドを該係止孔に係止させることで、該スラット上動防止部材の上下方向の移動を規制するように構成され、
該端部係止部材は、該面部より室内側に向って延出する見込片を有し、該スラット端部支持片が該見込片と係止することで、スラットの長さ方向の移動を規制するように構成されていることを特徴とするシャッターの防犯構造。
【請求項３】
請求項１，２いずれかにおいて、該端部係止部材は、該見込片の先端より開口部側に延出する見付片を有することを特徴とするシャッターの防犯構造。
【請求項４】
開口部全閉時に室内側からガイドレールに着脱自在に装着されるスラット上動防止部材であって、
縦長状の本体と、
該本体の長さ方向に直交する方向に延出する複数のスラット端部支持片と、
ガイドレールに装着するための取付手段と、
該スラット端部支持片と平行状に延出する係止ロッドとを有し、
該複数のスラット端部支持片は、複数のスラットのスラット端部の夫々の空間部に対応するように該本体の長さ方向に所定間隔を存して設けてあり、ガイドレール溝からスラット端部の空間部に水平方向から挿入されて、該スラット端部の面部を室内側から当接支持するように構成されており、
該取付手段によって該部材をガイドレールに装着された状態で、該係止ロッドをガイドレールに水平方向から係止することで上下方向の移動を規制するように構成されていることを特徴とするスラット上動防止部材。
【発明の詳細な説明】
【技術分野】
【０００１】
本発明は、シャッターの防犯構造に係り、詳しくは、開口部全閉時において、室内側からガイドレールに着脱自在に装着されるスラット上動防止部材を用いたシャッターの防犯構造に関するものである。
【背景技術】
【０００２】
最近、バール等でガイドレールをこじ開けてシャッタースラットをガイドレールから外すことで、建物開口部を開放して室内に侵入するという犯罪が発生している。とりわけ、軽量シャッターの場合には、重量シャッター等に比べてスラット及びガイドレールの強度が比較的弱く、スラットのこじ開けが行なわれ易い。
【０００３】
スラットのこじ開けには、室外側からガイドレールの溝部にバールを差し込んで、テコのように操作して、スラット端部を変形させながらガイドレール溝部から掻き出す手法が取られる。また、スラットや座板を上方向に持ち上げたり、スラットを長さ方向に移動させて引き抜いたりして、室内に侵入する場合もある。
【０００４】
案内レールに取り付けるシャッターの戸締装置が提案されているが、このものは蝶番および蝶ネジを用いて締付金具をスラットの面に対して押し付けるものであり、スラットの上下動やスラットの長さ方向（左右方向）の移動を規制することはできず、十分な防犯機能を持ち得ないものである。
【特許文献１】実用新案出願公告昭３５−１６８５４号
【発明の開示】
【発明が解決しようとする課題】
【０００５】
本発明は、上述のようなシャッター装置を設置した開口部から室内への侵入を防止するシャッターの防犯構造を提供することを目的とするものである。
【課題を解決するための手段】
【０００６】
かかる課題を達成するために本発明が採用した技術手段は、ガイドレール溝からスラット端部の空間部に挿入されて、該スラット端部を室内側から当接支持するスラット端部支持片を有するスラット上動防止部材と、スラット端部支持片がスラット端部の室内側の面部を当接支持した状態で該部材をガイドレールに着脱可能に固定する固定手段と、スラット端部の室内側の面部に設けられ、該面部より室内側に向って延出する見込片を有し、該スラット端部支持片が該見込片と係止することで、スラットの長さ方向の移動を規制するように構成された端部係止部材とを有するものである。
【０００７】
スラット端部支持片は、好ましくは、複数のスラットのそれぞれの空間部に挿入できるように、複数設けられる。一つの態様では、スラットの室内側の面部は平面部であり、平面部を有する板状のスラット端部支持片の面部が、スラット端部の平面部に当接することで、スラット端部を支持する。該固定手段は、該スラット端部支持片がスラット端部の室内側の面部に当接支持した状態で、該スラット上動防止部材の上下方向及びスラットの長さ方向の移動を規制するものである。
【０００８】
スラット端部の室内側の面部に端部係止部材が設けてあり、該端部係止部材は、該面部より室内側に向って延出する見込片を有し、該スラット端部支持片が該見込片と係止することで、スラットの長さ方向（左右方向）の移動を規制する。さらに好ましくは、該端部係止部材は、該見込片の先端より開口部側に延出する見付片を有する。見付片はスラット端部の室内側への移動を規制する。
【０００９】
固定手段の一つの好ましい態様では、該固定手段は、スラット上動防止部材に設けた水平方向に延出するの係止ロッドと、ガイドレールに設けた係止ロッド受孔とを含み、該スラット支持片がスラット端部に当接支持した状態で、該係止ロッドを該係止孔に係止させることで、該スラット上動防止部材の上下方向の移動を規制するものである。一つの態様では、係止ロッドは水平方向に移動自在である。
【００１０】
固定手段の他の好ましい態様では、該固定手段は、スラット上動防止部材に設けた取付ピンとガイドレールに設けた取付ピン受孔とを含み、該取付ピンは軸部と頭部とを有し、該取付ピン受孔は大径部と室外側に傾斜状に延出する傾斜溝部とを有し、該大径部は該頭部を挿通可能であり、該傾斜溝部は該軸部を挿通可能であるが該大径部が挿通できない寸法であり、該取付ピンが該大径部に位置する時には、スラット上動防止部材のスラット支持片はスラット端部から離間しており、該スラット上動防止部材を該傾斜溝部に沿って室外側に移動させることで、該頭部を該傾斜溝部に係止させた状態で、該スラット支持片がスラット端部を当接支持するように構成されている。
【００１１】
好ましい態様では、ガイドレールの開口部に面する見込壁には取付プレートが装着され、スラット上動防止部材は、該取付プレートを介してガイドレールに装着される。この場合、該受孔は、取付プレートおよび取付プレートと重合する該見込壁に形成さる。
【発明の効果】
【００１２】
本発明によれば、スラット端部支持片がスラット端部の室内側の面部に当接して支持するので、室外側からバール等をガイドレール溝に挿入させてスラット端部を変形させようとしても、該スラット端部支持片によってスラット端部の変形が規制され、スラットのこじ開けを防止する。スラット上動防止部材は、固定手段によって上下方向の移動が規制されているので、バール等で座板やスラットを上方向にこじ開けることを防止する。さらに、スラット端部支持片が、スラット端部の室内側の面部に設けた端部係止部材に当接することで、スラットの長さ方向端部を支点とするスラットを左右方向にずらすことによる引き抜きを防ぐことができる。すなわち、本発明は、スラットの上動防止、左右方向への移動防止、外部方向への引き抜き防止、スラット端部の変形の防止を図るものである。
【発明を実施するための最良の形態】
【００１３】
図１は、開口部全閉時における、シャッター装置の室内側の部分正面図であって、シャッター装置の下半部位を示している。シャッター装置は、建物開口部の左右端部に立設した左右のガイドレール１と、建物開口部の上方に設けたシャッターケース（図示せず）と、建物開口部を開閉するシャッターカーテン２とを有する。シャッターカーテン２は複数枚のスラット３を上下に連設して構成されており、その上端はシャッターケース内に水平状に設けた図示しない巻取シャフトに連結されており、建物開口部開放時には、シャッターカーテン２は該巻取シャフトに巻装されている。建物開口部閉鎖時には、シャッターカーテン２は、該巻取シャフトから繰り出され、スラット３の両端部が左右のガイドレール１に案内されながら下降して行き、シャッターカーテン２の最下端に設けた座板４が床に着床することで建物開口部を全閉する。
【００１４】
図３に示すように、ガイドレール１は、開口部左右に立設された柱体１００に対して持ち出し状に装着されている。ガイドレール１は、開口部に面する見込壁を有しており、見込壁には、スラット３の端部を受け入れる溝部１０が形成されている（図２、図４参照）。開口部側見込壁は溝部１０を挟んで室外側部位１１と室内側部位１２とに分割されている。図示のものでは、室内側部位１２は室外側部位１１よりも大きい幅寸法（見込寸法）を有している。図３のものでは、ガイドレール１は複数部材を組み合わせて構成されているが、ガイドレール１の構成はこれには限定されず、１部材からガイドレールを構成してもよい。
【００１５】
スラット３は、開口部の幅方向に延出する長尺部材であり、スラットの面部を構成する板状の本体３０と本体３０の上端および下端に一体的に形成したインターロック係合部３１，３２とを有している。複数枚のスラット３を、インターロック部３１，３２を介して互いに揺動自在に上下に連設することでシャッターカーテン２が形成されている。開口部全閉時において、スラット３の左右両端部はガイドレール１の溝１０内に位置している。本体３０は平面部３００と平面部３００の上下端部より室内側に向って傾斜する傾斜部３０１，３０２とを有しており、傾斜部３０１の先端にインターロック係合部３１が、傾斜部３０２の先端にインターロック係合部３２が形成されており、スラット３は、全体として、室外側に向う膨出形状を有しており、スラット３の室内側には、本体３０の室内側の面部と、上下のインターロック係合部３１，３２間を結ぶ仮想線とで囲まれる空間部Ｓが形成される。
【００１６】
開口部全閉状態において、シャッターカーテン装置には、室内側からスラット上動防止部材５が着脱自在に装着される。スラット上動防止部材５は、シャッターカーテン２の下方部位の両端部位に位置して、ガイドレール１に対して装着されている。
【００１７】
スラット上動防止部材５は、本体５０と、スラット端部支持片５１と、ガイドレールとの固定手段を構成する取付ピン５２、係止ロッド５３とを有する。スラット上動防止部材５は、スラット端部支持片５１をガイドレール１内に位置するスラット３の端部に室内側から当接支持させた状態で、固定手段によってガイドレール１に固定される。本体５０は長尺部材であり、スラット上動防止部材５は、本体５０が上下方向に鉛直状に延出した状態でガイドレール１に装着される。本体５０には、複数のスラット端部支持片５１が、本体５０の長さ方向に間隔を存して設けてあり、スラット端部支持片５１は、本体５０の長さ方向に直交する方向に延出している。本体５０が鉛直状の姿態にある場合には、複数のスラット端部支持片５１は水平方向に延出することになる。
【００１８】
図示のものでは、本体５０は、対向する２つの見込片５００，５０１、２つの見込片の室内側の端部間を連結する見付片５０２とから断面視コ字状に形成されている。装着時には、見込片５００が開口部側、見込片５０１がガイドレール側、見付片５０２が室内側に位置する。スラット端部支持片５１は、見込片５０１の室外側の端部において、上下方向に所定間隔を存して、ガイドレール側に向って見付方向に延出している。ガイドレール側見込片５０１は開口部側見込片５００よりも室外側に延出しており、該延出部５０１ａの上下端縁は傾斜状に形成されており、該延出部の先端にスラット端部支持片５１が設けてある。該延出部は側面視において略台形状となっている（図５左図、図７左図）。スラット端部支持片５１は、本体５０からガイドレール側に見付方向に延出する部材であればよく、その構成は図６（Ａ）のものに限定されるものではない。図６（Ｂ）のように、スラット端部支持片５１が開口部側見込片５００の室外側の端部からガイドレール側に向って見付方向に延出するものでもよい。
【００１９】
スラット端部支持片５１は、スラット３の室内側の空間Ｓに挿入することで、スラット３の端部の室内側の面部に室内側から当接して、それを支持する部材であり、スラット端部支持片５１の寸法（幅寸法、厚さ、断面寸法）は、スラット３の空間Ｓに挿入できる寸法に設定されている。図示のものでは、スラット端部支持片５１は、スラット３の平面部３００と略同じ幅寸法を有する板状部材であり、その面部が室内側から平面部３００の室内側面部に面同士で当接するように構成されている。板状のスラット端部支持片５１は、その面部が上下方向に延出する状態で、スラット３の平面部３００と平行状に、見付方向に延出しており、かつ、上下に連設されたスラット３の各空間部Ｓに挿入できるように、上下方向に所定間隔を存して配設されている。図示のものは、複数のスラット端部支持片５１を、上下に連設されたスラット３の空間部Ｓ同士の間隔に対応する所定間隔で櫛歯状に連続して設けることで、上下に連設された各スラット３の各空間部Ｓにそれぞれ挿入できるスラット端部支持片５１を示している。スラット端部支持片５１は必ずしも上下連続状にスラット３の空間部に挿入されなくてもよく、例えば、一つ置きにスラット３の空間部Ｓに挿入されるものでもよいが、こじ開けに対する強度等を考慮すると、複数のフラット係止片５１を櫛歯状に連続して設けることが望ましい。
【００２０】
本体５０には、スラット端部支持片５１と平行状に水平方向に延出する取付ピン５２、係止ロッド５３が設けてある。取付ピン５２は、ガイドレール側の見込片５０１の面部からガイドレール側に突出する軸部５２０と軸部５２０の先端に形成した頭部５２１とを有する。軸部５２０の基端側がガイドレール側の見込片５０１に固着されており、先端の頭部５２１は、軸部５２０より大径の外径寸法を有している。取付ピン５２は、上下方向に間隔を存して２つ形成されており、２点でガイドレール１に支持される。取付ピン５２の個数は限定されないが、装着の容易性からは２個のガイドレール係止片５２が望ましい。
【００２１】
係止ロッド５３は、互いに平行状に延出する２つの軸部５３０と該軸部の基端側を連結する湾曲部５３１とからなるＵ字状あるいはコ字状の部材である。軸部５３０は本体５０の長さ方向に直交して延出しており、２つの見込片５００，５０１には軸部５３０を移動可能に挿通させる挿通孔が貫設されている。軸部５３０は本体５０の２つの見込片５００，５０１に対して見付方向に移動可能に装着されており、軸部５３０の先端をガイドレール側、湾曲部５３１を開口部側に配設させて、湾曲部５３１を把持して軸部５３０の先端部位をガイドレール側の見込片５０１からガイドレール側に突出させることができる。軸部５３０には、先端から所定寸法離間した部位に当接片５３２が形成されており、当接片５３２がガイドレール側の見込片５０１の内面に当接することで、軸部５３０の突出寸法が規制されている。図示のものでは、係止ロッド５３は２本の軸部５３０を備えているが、軸部５３０の本数は限定されない。軸部５３０はスラット上動防止部材５の上下方向の移動を規制するものであることから、強度を向上させるためには、軸部５３０を複数本設けることが望ましい。
【００２２】
スラット上動防止部材５の本体５０の開口部側の見込片５００の開口部側面部には取っ手５４が上下方向に間隔を存して２つ設けてある。係止ロッド５３の湾曲部５３１を取っ手に兼用することもできる。
【００２３】
スラット上動防止部材５は、取付プレート６を介して、ガイドレール１に着脱可能に装着される。ガイドレール１の開口部に面する壁、具体的には、開口部側の見込壁の室内側部位１２には、スラット上動防止部材５を装着するための取付プレート６が装着される。スラット上動防止部材５を直接ガイドレール１に設けてもよいが、ガイドレール１に孔加工等を施すとガイドレール１の強度が低下するので、取付プレート６を介してスラット上動防止部材５を装着することが好ましい。取付プレート６は、スラット上動防止部材５の取付ピン５２、係止ロッド５３に対応して設けた、それぞれ２つの、取付ピン受孔６０、係止ロッド受孔６１を有する（図７参照）。取付ピン受孔６０、係止ロッド受孔６１は共に、ガイドレール１の見込壁１２にも貫設されており、取付ピン５２、係止ロッド５３は、共に、ガイドレールの壁１２を貫通している（図３参照）。
【００２４】
取付ピン受孔６０は、大径部６００と大径部６００から室外側に傾斜する（図示のものでは、下方斜め前方）傾斜溝部６０１を有する孔であり、大径部６００は取付ピン５２の頭部５２１を挿通できる寸法・外形を有し、傾斜溝部６０１の幅は、取付ピン５２の軸部５２０を挿通させる一方、頭部５２１よりも小さい寸法・外形を有している。
【００２５】
係止ロッド受孔６１は、係止ロッド５３を遊びがない状態で受け入れる孔であり、係止ロッド５３の軸部５３０の断面形状・寸法に対応する形状を有しており、図示のものでは円形断面形状を有する軸部５３０を丁度受け入れることができる寸法を有する円形状の孔である。
【００２６】
スラット上動防止部材５の取付方法について図４に基づいて説明する。図４において、左から順に、「差込、嵌合前」、「差込後」、「嵌合後」の状態を示している。「差込、嵌合前」の図に示すように、ガイドレール１の開口部側見込壁にはスラット３の端部を受け入れる溝部１０が形成されており、溝部１０には上下に連設されたスラット３の端部が呑み込まれている。ガイドレール１内に位置するスラット端部の室内側の空間部Ｓは溝部１０に位置しており、溝部１０から空間部Ｓにスラット端部支持片５１を挿入することが可能となっている。ガイドレール１の見込壁の室内側部位１２には、取付プレート６が螺子によって固着されている。取付プレート６には、取付プレート６及びガイドレール見込壁１２を貫通する取付ピン受孔６０が形成されている。
【００２７】
「差込後」の図に示すように、先ず、スラット上動防止部材５の取付ピン５２の頭部５２１を取付ピン受孔６０の大径部６００に挿入させながら、スラット上動防止部材５のスラット端部支持片５１をスラット３の空間部Ｓに挿入させる。この状態では、スラット上動防止部材５のスラット端部支持片５１はスラット３の平面部３００の室内側の面部から離間している。
【００２８】
この状態から、第１係止片５２の軸部５２０を、取付ピン受孔６０の傾斜溝部６０１に沿って移動させると、「嵌合後」に示す状態となる。第１係止片５２の軸部５２０は取付ピン受孔６０の溝部６０１の端部に位置しており、第１係止片５２の頭部５２１の寸法は取付ピン受孔６０の溝部６０１よりも大きいので、第１係止片５２の水平方向の移動が規制され、第１係止片５２がガイドレール１から水平方向に抜けることがない。第１係止片５２の軸部５２０を、取付ピン受孔６０の傾斜溝部６０１に沿って移動させることで、スラット上動防止部材５は室外側に移動することとなり、板状のスラット端部支持片５１の面部がスラット３の平面部３００に室内側から当接して支持することになる。
【００２９】
「嵌合後」の状態において、係止ロッド５３の軸部５３０と係止ロッド受孔６１とが一致することになる。係止ロッド５３の軸部５３０を係止ロッド受孔６１に突出させることで、係止ロッド５３が軸部５３０を介してガイドレール１に係止し、スラット上動防止部材５の上下方向の移動が規制される。尚、取付プレート６を用いた構成に基づいて説明したが、取付プレート６を用いずに、取付ピン受孔６０、係止ロッド受孔６１を直接ガイドレール１の開口部側見付側壁の室内側部位１２に形成してもよい。
【００３０】
少なくとも１枚のスラット３の長さ方向両端部には、端部係止部材７が設けてある。端部係止部材７は、装着片７０と、装着片７０の先端に一体的に形成した見込片７１と見付片７２とからＬ形状に形成された係止部からなる。端部係止部材７は、スラット３の空間部Ｓにおいて、装着片７０をスラット３の本体３０の平面部３００に螺子を介して装着することで、スラット３の端部の室内側に設けられる。図８に示すように、見込片７１は、スラット３の長さ方向端部において延出しており、かつ、スラット３の空間部Ｓの見込寸法と略同じ寸法を有している。端部係止部材７を設けたスラット３の空間部Ｓにスラット端部支持片５１を挿入した状態で、スラットが移動すると、スラット端部支持片５１と端部係止部材７が係止することになる。スラット３が長さ方向に移動した場合には、スラット端部支持片５１の先端と端部係止部材７の見込片７１が当接することで、スラット３の長さ方向の移動が規制される。スラット３が室内側に移動した場合には、スラット端部支持片５１の面部と端部係止部材７の見付片７２が当接することで、スラット３の室内側への移動が規制される。尚、端部係止部材７は耐風フックとしても機能する。
【００３１】
このように構成されたスラットの抜け防止構造において、室外側から、ガイドレール溝部１０（ガイドレールの見付片とスラットとの間）にバールを差し込んで、スラット端部を変形させてスラット端部を掻き出そうとした時には、ガイドレール溝内に位置するスラットの平面部の室内部側に当接しているスラット端部支持片５１がスラット端部の変形に対抗することで、スラット端部の変形を防止し、こじ開けを防止する。座板やスラットを上方向に持ち上げようとした場合には、係止ロッド５３がスラット上動防止部材５の上方向への移動を規制するので、スラット端部支持片５１の上方向の移動も規制され、スラット端部の上方への持ち上げを防止する。スラット端部を支点とするスラットをずらすことによる引き抜きに対しては、スラット端部支持片５１がスラット端部に設けた端部係止部材７に係止することで対抗する。
【産業上の利用可能性】
【００３２】
本発明は、シャッター装置の防犯装置として用いることができる。
【図面の簡単な説明】
【００３３】
【図１】シャッター装置の正面図であり、正面視左側のガイドレールにはスラット抜け出し防止部材が装着されており、右側のガイドレールには該防止部材を装着する前の状態が示してある。
【図２】ガイドレールおよびスラット端部に装着された防止部材を示しており、左図、右図はそれぞれ側面視、正面視である。
【図３】ガイドレールおよびスラット端部に装着された防止部材の上下方向の２箇所における断面視である。
【図４】防止部材のガイドレールおよびスラット端部への取付方法を示す図である。左から順に、「差込、嵌合前」、「差込後」、「嵌合後」の状態を示している。
【図５】スラット抜け出し防止部材の左側面図及び正面図である。
【図６】（Ａ）は、スラット抜け出し防止部材の高さ方向二箇所の断面図であり、（Ｂ）は、他の実施例に係るスラット抜け出し防止部材の高さ方向二箇所の断面図である。
【図７】左図はスラット抜け出し防止部材の右側面図であり、右図はガイドレールに設けられる取付プレートの左側面視及び正面視である。
【図８】スラット端部に装着されるスラット端部金具を示す図である。
【符号の説明】
【００３４】
１  ガイドレール
１０  溝部
１２  開口部側見込壁の室内側部位
２  シャッターカーテン
３  スラット
３０  本体
３００  平面部
Ｓ  空間部
５  スラット上動防止部材
５０  本体
５１  スラット端部支持片
５２  取付ピン
５３  係止ロッド
６  取付プレート
６０  取付ピン受孔
６１  係止ロッド受孔
７  端部係止部材
７１  見込片
７２  見付片
【図１】
2005090103.tif 000003
【図２】
2005090103.tif 000004
【図３】
2005090103.tif 000005
【図４】
2005090103.tif 000006
【図５】
2005090103.tif 000007
【図６】
2005090103.tif 000008
【図７】
2005090103.tif 000009
【図８】
2005090103.tif 000010